(57)【要約】【課題】より少ない材料で、また、共通化された部品で、多くの要求仕様に容易に対応できる梱包材を提供すること。【解決手段】第１部材１は、板状の台板部１０と、間隔を空けて並ぶ複数の緩衝ブロック１１とを有する。第２部材２は、基部２０と、囲繞部２１と、仕切片２２とを有する。囲繞部２１は、第１部材１における緩衝ブロック１１の配列方向の一端からの第１部分１ｘがはみ出す状態で第２部分１ｙの周囲を囲み、隣り合う２つの緩衝ブロック１１の間の空間に連通するスリット２１ａが形成された部分である。仕切片２２は、スリット２１ａに挿入された状態でスリット２１ａの両側の２つの緩衝ブロック１１を仕切る。【選択図】図２
2017214077.tif 000002
【特許請求の範囲】
【請求項１】
梱包品とともに梱包箱内に収容される梱包材であって、
組み合わされた第１部材および第２部材を含み、
前記第１部材は、
板状の台板部と、
それぞれ前記台板部の一方の面に固定され、前記台板部から突出して形成され、一の配列方向に沿って間隔を空けて並ぶ複数の緩衝ブロックと、を有し、
前記第２部材は、
前記第２部材の一端からの一部を成す基部と、
前記基部に連なり、前記第１部材における前記配列方向の一端からの一部である第１部分がはみ出す状態で残りの第２部分の周囲を囲み、隣り合う２つの前記緩衝ブロックの間の空間に連通するスリットが形成された囲繞部と、
前記囲繞部に連なって形成され、前記スリットに挿入された状態で前記スリットの両側の２つの前記緩衝ブロックを仕切る仕切片と、を有する梱包材。
【請求項２】
前記第１部材は、３つ以上の前記緩衝ブロックを有し、
前記第１部材における前記第２部材の前記囲繞部によって囲まれる前記第２部分の範囲が変更されることによって前記囲繞部からはみ出す前記第１部分の長さの調整が可能である、請求項１に記載の梱包材。
【請求項３】
前記第１部材の前記第１部分の前記台板部における前記緩衝ブロックが固定されていない部分が曲がって形成されている、請求項１または請求項２に記載の梱包材。
【請求項４】
前記複数の緩衝ブロック各々は、複数の板状の段ボール片が積層状態で接着された構造を有する積層段ボールである、請求項１から請求項３のいずれか１項に記載された梱包材。
【請求項５】
前記第１部材における前記緩衝ブロックが存在する部分の断面形状および前記囲繞部の内面の断面形状が正方形である、請求項４に記載の梱包材。
【発明の詳細な説明】
【技術分野】
【０００１】
本発明は、梱包材に関する。
【背景技術】
【０００２】
一般に、段ボールなどの緩衝性の板材で形成された梱包材が、梱包品とともに直方体状の梱包箱に収容される場合が多い。前記梱包箱も、段ボールなどの緩衝性の板材で形成されている。
【０００３】
前記梱包材は、前記梱包品と前記梱包箱の内側面との間隔を維持するスペーサー部材として機能する（例えば、特許文献１参照）。前記梱包材は、落下または振動などによって前記梱包箱から受ける外力に応じて潰れることにより、前記梱包品に伝わる衝撃を緩和する。
【０００４】
例えば、前記梱包品の側面の上部が前記梱包材によって保護される場合がある。この場合、前記梱包材は、前記梱包箱の底面から起立する基部と、その基部の上部に形成された緩衝部とを有する。
【０００５】
前記基部は、前記梱包品の側面または前記梱包箱の内側側面に沿って起立し、前記緩衝部を目的の高さに保持する脚部として機能する。従来の前記緩衝部は、例えば前記基部に接着された積層段ボールなどである。この場合、前記梱包材は、前記緩衝部による保護対象の位置および範囲の違いに応じて個別に設計および作製される。
【先行技術文献】
【特許文献】
【０００６】
【特許文献１】２０１３−２２８６０５号公報
【発明の概要】
【発明が解決しようとする課題】
【０００７】
ところで、昨今、要求仕様に応じた多種の前記梱包材を、より少ない材料で、また、共通化された部品で容易に構成できることが望まれている。
【０００８】
本発明の目的は、より少ない材料で、また、共通化された部品で、多くの要求仕様に容易に対応できる梱包材を提供することにある。
【課題を解決するための手段】
【０００９】
本発明の一の局面に係る梱包材は、梱包品とともに梱包箱内に収容される部材であり、組み合わされた第１部材および第２部材を含む。前記第１部材は、板状の台板部と、複数の緩衝ブロックとを有する。前記複数の緩衝ブロックは、それぞれ前記台板部の一方の面に固定され、前記台板部から突出して形成され、一の配列方向に沿って間隔を空けて並ぶ部分である。前記第２部材は、基部と、囲繞部と、仕切片とを有する。前記基部は、前記第２部材の一端からの一部を成す部分である。前記囲繞部は、前記基部に連なり、前記第１部材における前記配列方向の一端からの一部である第１部分がはみ出す状態で残りの第２部分の周囲を囲み、隣り合う２つの前記緩衝ブロックの間の空間に連通するスリットが形成された部分である。前記仕切片は、前記囲繞部に連なって形成され、前記スリットに挿入された状態で前記スリットの両側の２つの前記緩衝ブロックを仕切る部分である。
【発明の効果】
【００１０】
本発明によれば、より少ない材料で、また、共通化された部品で、多くの要求仕様に容易に対応できる梱包材を提供することが可能になる。
【図面の簡単な説明】
【００１１】
【図１】図１は、実施形態に係る梱包材および梱包品の斜視図である。
【図２】図２は、実施形態に係る梱包材の分解斜視図である。
【図３】図３は、実施形態に係る梱包材の組立途中における斜視図である。
【図４】図４は、実施形態に係る梱包材の第１組立状態の斜視図である。
【図５】図５は、実施形態に係る梱包材の第２組立状体の斜視図である。
【図６】図６は、実施形態に係る梱包材の第３組立状体の斜視図である。
【発明を実施するための形態】
【００１２】
以下、添付図面を参照しながら、本発明の実施形態について説明する。なお、以下の実施形態は、本発明を具体化した一例であって、本発明の技術的範囲を限定する性格を有さない。
【００１３】
実施形態に係る梱包材３は、画像形成装置などの梱包品９とともに梱包箱８内に収容される部材である。例えば、梱包品９がプリンター、複写機、ファクシミリ装置または複合機であることが考えられる。梱包箱８は、梱包品９を収容する略直方体状の部材である。
【００１４】
図１に示されるように、梱包材３は、梱包品９の側面９１の上部を保護する部材である。梱包材３は、梱包箱８の底面８０から起立する基部２０と、その基部２０の上部に形成された緩衝部３ｘとを有する。
【００１５】
基部２０は、梱包品９の側面９１または梱包箱８の内側側面８１に沿って起立し、緩衝部３ｘを目的の高さに保持する脚部として機能する。
【００１６】
ところで、昨今、要求仕様に応じた多種の梱包材を、より少ない材料で、また、共通化された部品で容易に構成できることが望まれている。
【００１７】
梱包材３は、より少ない材料で、また、共通化された部品で、多くの要求仕様に容易に対応できる構造を有している。以下、その構造について説明する。なお、便宜上、図２〜６は、梱包材３をその上端側から見た場合の梱包材３の斜視図を示す。
【００１８】
図２〜４に示されるように、梱包材３は、組み合わされた第１部材１および第２部材２を含む。なお、図２は、組み合わされる前の第１部材１および第２部材２を示し、図３は、組み合わされる途中の第１部材１および第２部材２を示す。
【００１９】
本実施形態において、梱包材３は、２つの第１部材１と１つの第２部材２とを含む。第１部材１は、板状の台板部１０と、複数の緩衝ブロック１１とを有する。台板部１０は、例えば段ボールの板材である。
【００２０】
複数の緩衝ブロック１１は、それぞれ台板部１０の一方の面に固定され、台板部１０から突出して形成された部分である。例えば、複数の緩衝ブロック１１は、接着剤で台板部１０に接着されている。複数の緩衝ブロック１１は、一の方向に沿って間隔を空けて並んで設けられている。図２に示される例では、第１部材１は、３つの緩衝ブロック１１を有している。
【００２１】
以下の説明において、複数の緩衝ブロック１１が並ぶ方向のことを配列方向Ｄ０と称する。また、隣り合う２つの緩衝ブロック１１の間の空間のことを区画空間１２と称する。
【００２２】
例えば、緩衝ブロック１１各々が、複数の板状の段ボール片が積層状態で接着された構造を有する積層段ボールであることが考えられる。図２に示される例では、複数の緩衝ブロック１１が、それぞれ積層方向が異なる２種類の前記積層段ボールを含む。
【００２３】
即ち、２種類の前記積層段ボールの一方は、それぞれ台板部１０に平行な複数の段ボール片が台板部１０に直交する方向へ積み重なった構造を有する。２種類の前記積層段ボールの他方は、それぞれ台板部１０に直交する複数の段ボール片が台板部１０に平行な方向へ積み重なった構造を有する。
【００２４】
第２部材２は、曲げ加工が施された段ボールの板材である。第２部材２は、基部２０と、囲繞部２１と、仕切片２２と、留め部２３とを有する。基部２０は、第２部材２の一端からの一部を成す部分である。前述したように、基部２０は、緩衝部３ｘを目的の位置に保持するための脚部として機能する。
【００２５】
本実施形態において、基部２０は平坦な板状である。なお、基部２０の形状が筒状またはその他の形状であることも考えられる。
【００２６】
囲繞部２１は、基部２０に連なり、第１部材１における配列方向Ｄ０の一端からの一部である第１部分１ｘがはみ出す状態で、残りの第２部分１ｙの周囲を囲む部分である。梱包材３において、第１部材１および囲繞部２１が、保護対象の位置に位置決めされる緩衝部３ｘを構成している。
【００２７】
図１，３に示される例では、第２部分１ｙは、第１部材１における囲繞部２１から両側へはみ出す２つの第１部分１ｘを除く残りの部分である。本実施形態において、第２部材２は、２つの第１部材１に対応した２つの囲繞部２１を有している。
【００２８】
例えば、囲繞部２１は、一部が重なる状態で、緩衝ブロック１１の輪郭形状に沿う角筒状に屈曲して形成されている。
【００２９】
囲繞部２１には、周方向に沿うスリット２１ａが形成されている。囲繞部２１は、そのスリット２１ａが第１部材１の区画空間１２の１つと連通する状態で、第１部材１の第２部分１ｙの周囲を囲む。さらに、囲繞部２１には、開口２１ｂが形成されている。
【００３０】
仕切片２２は、囲繞部２１に連なって形成され、スリット２１ａに挿入される部分である。仕切片２２は、スリット２１ａに挿入されることにより、スリット２１ａから区画空間１２内へ突出する。
【００３１】
仕切片２２は、スリット２１ａに挿入された状態でスリット２１ａの両側の２つの緩衝ブロック１１を仕切る。これにより、囲繞部２１内での配列方向Ｄ０における第１部材１の移動が仕切片２２によって制限される。即ち、仕切片２２は、囲繞部２１に対する第１部材１の位置を一定の範囲内に維持する機能を果たす。
【００３２】
また、仕切片２２は、それがスリット２１ａに挿入された状態で、囲繞部２１の内側面におけるスリット２１ａの縁部に係合する係合部２２ａが形成されている。これにより、仕切片２２がスリット２１ａから抜けることが防がれる。
【００３３】
留め部２３は、囲繞部２１の開口２１ｂに挿入されることにより、囲繞部２１の内側面における開口２１ｂの縁部に係合する部分である。留め部２３は、開口２１ｂに挿入されることにより、囲繞部２１を第１部材１の第２部分１ｙを囲む形状に保持する。
【００３４】
本実施形態では、仕切片２２の係合部２２ａも、留め部２３とともに、囲繞部２１を第１部材１の第２部分１ｙを囲む形状に保持する機能を果たす。
【００３５】
梱包材３が採用されれば、より少ない材料で、第１部材１の第１部分１ｘに形成されている緩衝ブロック１１を目的の位置に位置決めすることができる。即ち、梱包材３において、第１部材１を目的の位置に保持するための囲繞部２１および基部２０は、配列方向Ｄ０において第１部材１が占める全範囲よりも狭い範囲内に収まるコンパクトな部材で構成される。
【００３６】
図４に示される例では、第１部材１における囲繞部２１から基部２０の反対側へはみ出した部分を直接支える部材が不要である。
【００３７】
図５に示される梱包材３は、図１〜４に示される梱包材３と比較して、第２部材２の囲繞部２１が第１部材１を囲む範囲が異なる。即ち、図５に示される梱包材３は、図１〜４に示される梱包材３と比較して、第１部材１における囲繞部２１からはみ出した第１部分１ｘが長い。
【００３８】
図５に示される梱包材３によれば、緩衝ブロック１１を基部２０および囲繞部２１からより遠い位置に保持することができる。
【００３９】
図４，５に示されるように、第１部材１における第２部材２の囲繞部２１によって囲まれる第２部分１ｙの範囲が変更されることにより、囲繞部２１からはみ出す第１部分１ｘの長さの調整が可能である。
【００４０】
また、図６に示される梱包材３は、図５に示される梱包材３と比較して、第１部材１の第１部分１ｘにおける台板部１０の一部が曲がって形成されている点が異なる。台板部１０は、緩衝ブロック１１が固定されていない部分において曲げられている。図６に示される例では、第１部材１の第１部分１ｘにおける台板部１０は、配列方向Ｄ０に直交する方向に沿って稜線を形成する屈曲部１０ａを有している。
【００４１】
図６に示される梱包材３によれば、基部２０および囲繞部２１が梱包品９の一の側面９１に沿う状態で、複数の緩衝ブロック１１を梱包品９の複数の側面９１に沿わせることができる。
【００４２】
図４〜６に示されるように、梱包材３が採用されれば、共通化された部品で、多くの要求仕様に容易に対応することが可能になる。
【００４３】
[応用例]
梱包材３において、第１部材１における緩衝ブロック１１が存在する部分の断面形状および囲繞部２１の内面の断面形状が正方形であることが考えられる。この場合、囲繞部２１の形状を変更することなく、配列方向Ｄ０を中心とする第１部材１の向きを９０度変更することができる。
【００４４】
緩衝ブロック１１が前記積層段ボールである場合、緩衝部３ｘの緩衝性能が、第１部材１の向きに応じて変わる。従って、同じ第１部材１および第２部材２を用いてより多くの要求仕様に対応することが可能になる。
【００４５】
また、梱包材３において、第１部材１が、囲繞部２１から基部２０側へのみはみ出す状態で、囲繞部２１によって支持されることも考えられる。
【００４６】
また、梱包材３において、第１部材１が、２つの緩衝ブロック１１または４つ以上の緩衝ブロック１１を有することも考えられる。
【００４７】
なお、本発明に係る梱包材は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【００４８】
１      ：第１部材
１ｘ    ：第１部材の第１部分
１ｙ    ：第１部材の第２部分
２      ：第２部材
３      ：梱包材
３ｘ    ：緩衝部
８      ：梱包箱
９      ：梱包品
１０    ：台板部
１０ａ  ：屈曲部
１１    ：緩衝ブロック
１２    ：区画空間
２０    ：基部
２１    ：囲繞部
２１ａ  ：スリット
２１ｂ  ：開口
２２    ：仕切片
２２ａ  ：係合部
２３    ：留め部
８０    ：梱包箱の底面
８１    ：梱包箱の内側側面
９１    ：梱包品の側面
Ｄ０    ：配列方向
【図１】
2017214077.tif 000003
【図２】
2017214077.tif 000004
【図３】
2017214077.tif 000005
【図４】
2017214077.tif 000006
【図５】
2017214077.tif 000007
【図６】
2017214077.tif 000008